(57)【要約】      （修正有）【課題】テレビ受信機で番組を見るために、現在放映中の番組を見るにはチャネルボタンあるいは「番組表」ボタンを押し、録画番組を見るにはメーカ固有名称のボタンを押し、未来の番組を予約するには「番組表」ボタンを押すなど、操作がバラバラで一貫性がなく使いにくいことを改善する。【解決手段】過去、現在、未来の番組をすべて一つの電子番組表に統合して表示し、テレビ視聴、録画番組再生、録画・視聴予約を「番組表」ボタン一つで行うことができる直感的で一貫した操作とした。更に、番組選択方法を複数持ち、テレビ、リモコンのどちらに映像を表示するかなどを簡単に選択できる。【選択図】図１
2013085207.tif 000002
【特許請求の範囲】
【請求項１】
テレビ受信機の内蔵ビデオレコーダあるいは、テレビ受信機とリンク機能を持つ外部ビデオレコーダに録画されている番組の一覧表を過去の電子番組表として処理し、テレビ受信機あるいはビデオレコーダにより取得された現在および未来の電子番組表と該過去の電子番組表とを一体としてシームレスにテレビ受信機あるいはビデオレコーダあるいはそれらのリモートコントローラの電子番組表表示機能により一覧として表示できることを特徴とする電子番組表表示装置
【請求項２】
請求項１の電子番組表表示装置において、
電子番組表の上で、現在時刻に放映中の番組が選択された場合、テレビ受信機はその番組を受信し、過去の時間に属する番組が選択された場合、録画されている該番組を再生し、未来の番組が選択された場合、録画予約画面及び視聴予約画面が表示されることを特徴とする電子番組表表示装置。
【請求項３】
テレビ放送の映像、番組関連情報、操作関連情報を表示する表示装置と、使用者の操作を感知するセンサー装置と、テレビ放送の映像、番組関連情報、及び該センサーから得られた使用者の操作情報を処理するデータ処理装置とテレビ受信機を操作するコマンドを発生するコマンド発生装置と、テレビ受信機と双方向通信を行う通信装置とを備え、テレビ受信機からテレビ放送の映像及び番組関連情報を受信する機能があり、請求項１の電子番組表を表示でき、請求項２の操作が可能なリモートコントローラにおいて、リモートコントローラに表示されている電子番組表の番組を選択する操作方法が複数あることを特徴とするリモートコントローラシステム。
【請求項４】
請求項３のリモートコントローラシステムにおいて、
リモートコントローラに表示されている電子番組表の番組を選択する複数の選択操作方法により選択された番組をテレビ受信機の画面、及びリモートコントローラの表示装置に表示する複数の方法から１つを選択できる操作方法を持つことを特徴とするリモートコントローラシステム。
【発明の詳細な説明】
【技術分野】
【０００１】  本発明はテレビ受信機に関わる電子番組表の表示装置とそれを利用したリモートコントローラシステムに関する。
【背景技術】
【０００２】  近年、地上デジタルテレビ放送、あるいはＢＳ、ＣＳ放送などにより電子番組表を始めとするデータ放送が非常に充実してきた。【０００３】  更に、テレビ受信機には録画機能が内蔵されるか、あるいは、リンク機能を介して内蔵と同様に扱うことができる外付けビデオレコーダが用意され簡単に番組を録画できるようになっている。また、ブルーレイレコーダ、ハードディスクレコーダのような地上デジタル放送テレビチューナを備えた独立したビデオレコーダが販売されている。
【先行技術文献】
【特許文献】
【０００４】
【特許文献１】特開２０１１−１６６８３５号公報
【特許文献２】特開２００７−３０６３６６号公報
【特許文献３】特開２００３−１２５２３０号公報
【発明の概要】
【発明が解決しようとする課題】
【０００５】  しかしながら、放送されている番組あるいは録画された番組の視聴方法は旧態依然としたままの困難な操作法に留まっている。【０００６】  テレビ視聴、録画、録画番組の再生、録画予約など多彩な機能を選択、操作するためにテレビ受信機の操作は複雑化し、その操作は難しいものになっている。【０００７】  録画してある番組を再生するために、Ａ社のテレビ受信機ではリモートコントローラ上でレコーダ操作とは無関係な位置に配置されている「見る」ボタンを押して複数の内蔵記憶装置群の内容表示から録画一覧表を探し出して表示した後、その中から目的の番組を選択しなければならず、Ｂ社のテレビ受信機では、リモートコントローラ上で何を再生するのかわからぬままいきなり「再生」ボタンを押して録画一覧表を表示しその中から目的の番組を選択しなければならず、Ｃ社のビデオレコーダではリモートコントローラ上の「ホーム」ボタンを押し何段階かのメニュー操作の後、目的の番組を選択しなければならないなど複雑に過ぎる方法が採用されている。【０００８】  このように現状の録画の再生操作は、現在放映中の番組の視聴の場合、リモートコントローラ上の「番組表」ボタンから目的の番組を選ぶだけという極めて単純な操作で行うことができるのとは対蹠的に、これとは別の直感的に分かりにくいボタンを使って全く異なる操作で行なわなければならず、誰にでも使えるものではなかった。
【課題を解決するための手段】
【０００９】  以上の課題を解決するための第一発明はテレビ受信機あるいはビデオレコーダが受信し保持している現在および未来の電子番組表に、テレビ受信機に内蔵されているビデオレコーダあるいは外部接続されているビデオレコーダに録画されている番組の一覧表を加えてそれら２つの番組表をシームレスに一度の番組表表示操作で表示できることを特徴とする電子番組表表示装置である。具体的にはリモートコントローラの「番組表」ボタンを押すだけで過去、現在、未来の番組が選択可能になるのである。【００１０】  第二発明は第一発明の電子番組表上において現在時刻に放映中の番組が選択された場合、テレビ受信機はその番組を受信し、過去の時間に属する録画されている番組が選択された場合、録画されている該番組を再生し、未来の番組が選択された場合、表示装置上において録画予約画面及び視聴予約画面が表示されることを特徴とする電子番組表表示装置である。【００１１】  第三発明は、複数のチューナを持つテレビ受信機において、該電子番組表で番組を選択することができるリモートコントローラに関するものである。該リモートコントローラにおいて番組選択方法がシングルクリック、あるいはダブルクリック、あるいはフリック入力等、複数あることを特徴とするリモートコントローラシステムである。【００１２】  第四発明は、電子番組表で番組を選択する方法が複数あり、どの選択方法で選択するかにより、テレビ受信機の画面に単一画面で表示するか、あるいは複数チューナに対応して分割し複数画面で表示するか、あるいはテレビ受信機に現在表示されている画面に影響を与えることなく、リモートコントローラだけに選択された番組を表示するかを選択可能としたことを特徴とするリモートコントローラシステムである。
【発明の効果】
【００１３】  本発明によれば、リモートコントローラ上にある「番組表」などの電子番組表表示機能を操作するとテレビ受信機あるいはリモートコントローラの表示装置上のいずれか１つあるいは両方に現時点の電子番組表と録画されている番組の電子番組表がシームレスに表示される。【００１４】  使用者がこの電子番組表上の番組を選択すれば、該当する番組が選択され、現在時間に属する番組なら受信、過去の番組なら再生、未来の番組なら視聴・録画予約の処理の仕分けが行われる。【００１５】  本発明では過去の番組も現時点で放映されている番組と全く同様に電子番組表上で選択可能である。【００１６】  使用者は電子番組表の画面をスクロール等の操作で移動し、シームレスに過去部分の電子番組表を表示することができる。【００１７】  過去の番組に関しては、録画されている番組が電子番組表上に表示されていて、該録画されている番組が選択されれば再生が始まる。【００１８】  画面のスクロールにより未来部分の電子番組表を表示し、未来の番組を選択すると「録画予約／視聴予約」画面が表示され、該予約を行うことができる。【００１９】  以上のように本発明によれば、従来、それぞれ、メーカ固有名称のレコーダ操作ボタン、チャネルボタン、電子番組表ボタンなどに分散されていた過去、現在、未来の番組視聴および予約機能が電子番組表から見たい番組を選択するという単一操作で実行可能になる。【００２０】  更に、本発明によれば、この電子番組表の上の番組をリモートコントローラ上で選択する方法を、シングルクリック、ダブルクリック、あるいは、フリック入力などを用いることによって複数設定することにより、複数チューナをもつテレビ受信機において、複数の番組をテレビ受信機とリモートコントローラの表示装置の上に表示仕分けることが可能である。【００２１】  シングルクリックで番組を選択した場合、その番組をテレビ受信機に表示し、ダブルクリックで番組を選択した場合、テレビ受信機の表示に影響を与えず続行させ、リモートコントローラの表示装置の上だけに選択した番組を表示することが可能になる。この機能により、テレビ受信機で番組を見ながら、リモートコントローラ上で他のチャネルの番組を次々に試視聴することが可能になる。【００２２】  これ以外の表示の仕分けも可能であることは言うまでもない。
【発明を実施するための形態】
【００２３】  以下、本発明の一実施形態を図面を用いて説明する。図１は本実施形態の一時点における電子番組表の構成を示したものである。
【００２４】  使用者は、請求項１の電子番組表をテレビ受信機の画面に表示し、現在時刻に放映中の番組を見たい時には、その番組を電子番組表上で選択する。これにより、テレビ受信機でその番組が表示される。
【００２５】  使用者は、電子番組表の画面をスクロールすることができる。
【００２６】  上下方向では時間軸に沿って動き、左右方向ではチャネルに沿って動くものとする。上方向にスクロールすると、既に放映が終了した過去の番組の録画一覧表が表示される。
【００２７】  表示されている録画番組を選択すると再生が始まる。
【００２８】  更に、時間軸に沿って下方にスクロールすると未来の電子番組表が表示される。その中の番組を選択すると、「録画予約」、「視聴予約」、「戻る」等のメニューが表示される。それらのいずれかを選択すれば対応する動作がなされる。
【００２９】  リモートコントローラとテレビ受信機とが双方向通信を行うことによってテレビ受信機のチューナで得た番組映像を受信できる請求項３のリモートコントローラを用いれば、選択した番組映像をテレビ受信機あるいはリモートコントローラの表示装置のどちらに表示するか、あるいは両方に表示するかなどを選択することが可能である。図３は該リモートコントローラの一実施形態の機能構成図である。図４は該リモートコントローラの一実施形態の外観を示す。
【００３０】  請求項４の機能を持つリモートコントローラを用いればテレビの表示に影響を与えることなく、選択した番組をリモートコントローラの表示装置上だけで視聴することが可能である。
【００３１】「実施形態の効果」
以上述べたように本発明によれば、これまで複雑であった、テレビ番組の視聴操作が極めて簡単に行え、老人、子供、機械が苦手な人でも容易に現在番組の視聴、過去に録画された番組の視聴、未来の番組の録画・視聴予約、あるいはリモートコントローラ上だけで視聴を行うことができる。
【００３２】「他の実施形態」
本発明は、現在及び未来番組の番組表と録画番組用の過去の番組表をあらかじめシームレスに接続する番組表表示装置を用いず、「番組表」を表示する一操作でリアルタイムに該２つの番組表を読み込んで、シームレスに表示する形態も可能である。
【００３３】  要は現在・未来番組の電子番組表からシームレスに過去の電子番組表まで単一操作で表示されることが重要であり、使用者が電子番組表を表示するという単一操作で現在、過去、未来の番組をシームレスに視聴、操作できることが肝要なのである。他の実施形態を図２で示す。
【００３４】  また、本発明はテレビ受信機とビデオレコーダの組み合わせだけでなく、チューナを持つ外付けビデオレコーダでも実施できる。
【００３５】  要するに、本発明はその主旨を逸脱しない範囲で種々変形して実施することができる。
【産業上の利用可能性】
【００３６】  地上デジタルテレビジョン装置、ビデオレコーダなどテレビチューナとリモートコントローラを具備している機器で用いることができる。
【図面の簡単な説明】
【００３７】
【図１】本発明にかかる電子番組表の画面構成図である。
【図２】本発明にかかる電子番組表の異なる実施形態の画面構成図である。
【図３】本発明にかかるリモートコントローラの機能構成図である。
【図４】本発明にかかるリモートコントローラの外観の概要である。
【符号の説明】
【００３８】１０１  過去の録画番組一覧表          １０２  現在放映中の番組一覧表
１０３  未来の番組一覧表
２０１  日付選択のタブ群              ２０２  日付と時刻表示エリア
２０３  番組表                        ２０４  過去の日付の番組表選択タブ
２０５  現在の日付の番組表選択タブ    ２０６  未来の日付の番組表選択タブ
３０１  リモートコントローラ全体の制御を行う制御装置
３０２  映像、情報、操作用コマンドなどを表示する表示装置
３０３  外部からの入力を感知するセンサー装置
３０４  リモートコントローラが得た各種情報を処理するデータ処理装置
３０５  テレビ受信機への操作指示を発生するコマンド発生装置
３０６  テレビ受信機と双方向通信を行う通信装置
４０１  電源スイッチ    ４０２表示画面・センサー    ４０３操作ボタンアイコン群
【図１】
2013085207.tif 000003
【図２】
2013085207.tif 000004
【図３】
2013085207.tif 000005
【図４】
2013085207.tif 000006